(57)【要約】【課題】  振込用紙等の単票からなる媒体を帳票処理機に簡単な構成で供給できるようにする。【解決手段】  所定の帳票からなる媒体を帳票処理機の本体内に繰出す繰出ローラと、その繰出ローラ側に向けて進出するとともに、その繰出ローラ側から後退できるように移動自在に設けられた前記媒体を載置する載置台と、その載置台を前記繰出ローラ側に常時付勢する付勢手段と、前記載置台を前記付勢手段に抗して前記繰出ローラ側から後退するように設けられたレバーと、そのレバーを駆動させる駆動機構とからなる。【選択図】      図２
2006150712.tif 000002
【特許請求の範囲】
【請求項１】
所定の帳票からなる媒体を帳票処理機の本体内に繰出す繰出ローラと、
前記繰出ローラ側に向けて進出するとともに、その繰出ローラ側から後退できるように移動自在に設けられた前記媒体を載置する載置台と、
前記載置台を前記繰出ローラ側に常時付勢する付勢手段と、
前記載置台を前記付勢手段に抗して前記繰出ローラ側から後退するように設けられたレバーと、
前記レバーを駆動させる駆動機構と、
からなることを特徴と媒体供給装置。
【請求項２】
請求項１に記載の媒体供給装置において、載置台は、パンタグラフ式リンク機構に接続されていることを特徴とする媒体供給装置。
【発明の詳細な説明】
【技術分野】
【０００１】
本発明は、振込用紙や集金カード等の単票からなる媒体を処理する帳票処理機に好適な媒体供給装置に関する。
【背景技術】
【０００２】
従来、金融機関の係員窓口には、利用者が定期刊行物の継続購読を希望するときに用いられる定期刊行物に添付されている振込用紙、あるいは、利用者が所定の物品を通信販売などにより購入したときの物品の支払用の支払用紙を処理する帳票処理機と、金融機関の係員が商店等の顧客から集金した際に用いられる集金カードを処理する帳票処理機とがあり、これら従来の帳票処理機は、帳票処理機の本体の挿入口に振込用紙等の単票からなる媒体を挿入すると、その媒体に記録されいている内容が磁気的又は光学的に読取られるとともに、必要に応じて新たな内容が磁気的又は印字により記録されるように構成されている。
【０００３】
また、本出願人は、従来の帳票処理機は、振込用紙及び支払用紙の帳票（媒体）を処理する帳票処理機と集金カードの帳票（媒体）を処理する帳票処理機の２種類からなるので、設置面積を多く必要とするなどの不都合があり、これを解決するために、一台の帳票処理機で振込用紙、支払用紙及び集金カードのいずれの帳票をも処理できる帳票処理機を、別途、特願２００４−２３６２９８号で提案している。
【特許文献１】特になし
【発明の開示】
【発明が解決しようとする課題】
【０００４】
ところで、帳票処理機においても、各種処理機と同様に、自動化が求められるとともに、操作性の向上が求められるようになってきている。特に、簡単な構成で多数の媒体を積層してセットでき、そのセットされた媒体を帳票処理機の本体内に１枚ずつ自動的に供給できるようにすることが望まれている。
【０００５】
そこで、本発明は、上記要望に応えるためになされたものであって、その目的は、単票からなる媒体を簡単な構成で１枚ずつ帳票処理機の本体内に繰出すことのできる媒体供給装置を提供することにある。
【課題を解決するための手段】
【０００６】
本発明に係る媒体供給装置は、上記目的を達成するために、請求項１に記載の発明は、所定の帳票からなる媒体を帳票処理機の本体内に繰出す繰出ローラと、その繰出ローラ側に向けて進出するとともに、その繰出ローラ側から後退できるように移動自在に設けられた前記媒体を載置する載置台と、その載置台を前記繰出ローラ側に常時付勢する付勢手段と、前記載置台を前記付勢手段に抗して前記繰出ローラ側から後退するように設けられたレバーと、そのレバーを駆動させる駆動機構と、からなることを特徴としている。
本発明の請求項２に記載の媒体供給装置は、載置台は、パンタグラフ式リンク機構に接続されていることを特徴としている。
【発明の効果】
【０００７】
本発明の請求項１に記載の媒体供給装置は、所定の帳票からなる媒体を帳票処理機の本体内に繰出す繰出ローラと、その繰出ローラ側に向けて進出するとともに、その繰出ローラ側から後退できるように移動自在に設けられた前記媒体を載置する載置台と、その載置台を前記繰出ローラ側に常時付勢する付勢手段と、前記載置台を前記付勢手段に抗して前記繰出ローラ側から後退するように設けられたレバーと、そのレバーを駆動させる駆動機構とからなるので、簡単な構成で、媒体を１枚ずつ帳票処理機の本体内に自動的に繰出すことができる。
本発明の請求項２に記載の媒体供給装置は、載置台は、パンタグラフ式リンク機構に接続されているので、載置台の平行移動を正確に、かつ、容易に行うことができる。
【発明を実施するための最良の形態】
【０００８】
以下、本発明を実施するために最良の形態を図面に基づいて説明する。図１は、本発明に係る媒体供給装置ａを組込んだ帳票処理機の本体ｂの斜視図であって、その筐体Ｈの上面下部に媒体供給装置ａが組込まれている。
【０００９】
帳票処理機の本体ｂについての詳細な説明は、別途提案の特願２００４−２３６２９８号に譲るが、媒体供給装置ａから帳票処理機の本体ｂ内に供給された単票の帳票からなる媒体は、図示しない搬送路を介して筐体Ｈの上面上部に設けられているスタッカＳ1 に搬送される途中、その媒体に記録されている内容が磁気的に、又は光学的に読みとれるように構成されているとともに、必要に応じてその媒体に新たな磁気データが書込まれ、あるいは新たな印字が行われるように構成されている。
【００１０】
図中、Ｄはタッチパネルからなる表示画面であって、筐体Ｈの正面側にヒンジを介して回動自在に設けられていて、媒体から読取られた内容を表示したり、その媒体に記録すべき内容を入力できるように構成されている。また、図中、Ｓ2 は、スタッカＳ1 の下方に設けられているスタッカであって、帳票処理機の本体ｂ内で異常と判定された媒体、例えば、読取不良と判定された媒体を受け入れることができるように構成されている。
【００１１】
図２は、媒体供給装置ａの概略構成図であって、図１に示される媒体供給装置ａを縦断面した状態で示され、図３は、図２のＡ−Ａ線矢視図である。図中、１は、表面が凸凹に形成された繰出ローラであって、図示しないモータによって回転される回転軸２に設けられて所定方向（図２において反時計方向）に回転できるように構成されている。そして、この繰出ローラ１の下端位置は、筐体Ｈを構成するフレームＦ1 ，Ｆ2 間に形成された挿入口３の水平位置にほぼ位置するように決められている。なお、繰出ローラ１は、表面に凸凹を形成したものとしたが、表面が円滑なものであってもよい。繰出ローラ１の回転により帳票を摩擦力により繰出しすることができれば、繰出ローラ１はいずれの形式であってもよい。
【００１２】
上記挿入口３の間隔は、図示しない帳票からなる媒体１枚の厚さにより少し大きく形成され、少なくとも１枚の媒体が帳票処理機の本体ｂ内に送込まれるように構成されている。そして、上記繰出ローラ１は、この挿入口３を入口側から見たとき、すなわち、図２を左側から見たときに、その挿入口３に所定の間隔を保って複数個（例えば２〜４個）配置されるように回転軸２に複数個取付けられている。
【００１３】
図中、４は、平面が矩形状の板材からなる載置台であって、繰出ローラ１の下方に設けられ、その平面積は図示しない帳票が載置できるように決められている。そして、この載置台４は、質量を軽減するとともに、帳票を載置しやすいようにするために、繰出ローラ１側と反対側の辺（後述する一辺側と反対側の辺）の中央部分が切欠かれていて、平面形状がコ字状に形成されている（図３参照）。
【００１４】
この載置第４と繰出ローラ１との配置関係は、載置台４の上面の一辺（図２においては右辺）から少し内側に入ったその一辺と平行する線が繰出ローラ１の回転軸２と同方向で、かつ、平行するように決められるとともに、載置台４の上面と挿入口４の面とが平行状態を保つように決められている（図２参照）。そして、この平行状態を保ったまま、載置台４が繰出ローラ１側に進出（図２においては上昇）し、また、載置台４が繰出ローラ１側から後退（図２においては下降）できるように移動自在に構成されている。図中、５ａ，５ｂは、載置台４が繰出ローラ１に対して上述した関係を保って上下に移動できるように位置決めするための一対のガイド片であって、載置台４の一辺側の両側にそれぞれ設けられている。そして、これら一対のガイド片５ａ，５ｂは、フレームＦ2 に設けられているスリット６ａ，６ｂ（図３参照）にそれぞれ挿入され、それらスリット６，６内を移動できるように構成されている。
【００１５】
図中、７ａ，７ｂは、本発明の付勢手段に相当するコイルばねであって、載置台４の一辺側の下面の両側とフレームＦ2 との間に設けられている。そして、これらコイルばね７ａ，７ｂの付勢力は、載置台４を、常時、繰出ローラ１側に付勢できるように決められている。
【００１６】
図中、８ａ，８ｂは、載置台４の一辺側の両側を挟むように設けられた一対のレバーであって、これらレバー８ａ，８ｂの先端下部は、載置台４の一辺側の両側にそれぞれ突出して設けられている突起９ａ，９ｂにそれぞれ当接できるように構成されている。そして、これらレバー８ａ，８ｂの先端側と反対側の基部は、フレームＦ2 側に設けられている駆動機構１０に回動自在に設けられている。
【００１７】
この駆動機構１０は、モータ１１及び減速歯車機構１２から構成されている。モータ１１は、回転軸１１ａが正回転（例えば時計方向回転）及び逆回転（例えば反時計方向回転）できるように構成されている。また、減速歯車機構１２は、モータ１１の回転軸１１ａとレバー８ａ，８ｂの回転軸８′との間に平歯車１２ａ〜１２ｆを配置して構成されている。したがって、この駆動機構１０は、モータ１１が反時計方向に回転すると、レバー８ａ，８ｂを図２に示される位置まで回動させることができるとともに、モータ１１が時計方向に回転すると後述する図４の実線で示される位置に回動させることができる。
【００１８】
図中、１３はホトセンサからなるセンサであって、フレームＦ2 の下部に設けられていて、一方のガイド片（図示の例では５ａ）を検出できるように構成されている。すなわち、このセンサ１３は、載置台４が下方へ移動したときの位置を検出できるように構成されている。このセンサ１３の検出信号は、帳票処理機の本体ｂを統括的に制御するＣＰＵを中心に構成された図示しない制御器に入力されるように構成されている。なお、上記モータ１１及び図示しない繰出ローラ１の駆動モータ等は、この制御器によって制御されるように構成されている。
【００１９】
上記構成からなる媒体供給装置の制御動作を図４を用いて説明する。帳票処理機の本体ｂの図示しない電源スイッチがオフのとき、レバー８ａ，８ｂは、図２に示されるように、載置台４の上面が繰出しローラ１に接する位置まで回動させられている。この状態において、突起９ａ，９ｂはレバー８ａ，８ｂで押下されておらず、したがって、載置台４はコイルばね７ａ，７ｂにより載置台４の上面が繰出しローラ１に接する位置まで上昇させられている。このように載置台４が最上位に位置しているときは、載置台４の一辺側の上面に繰出ローラ４が位置しているので帳票からなる媒体を載置台４上にセットすることはできないように構成されている。つまり、帳票処理機の本体ｂの電源スイッチがＯＦＦのときは、媒体のセットができないように工夫されている。
【００２０】
次に、帳票処理機の本体ｂの電源スイッチがＯＮになると、モータ１１が時計方向に回転してレバー８ａ，８ｂを図４の実線位置まで回動させ、この回動により載置台４は図４に示される最下位の位置まで下げられる。したがって、載置台４の上面と繰出ローラ１との間には、図４に二点鎖線で示されるスペースＳが形成される。したがって、係員は、載置台４上のスペースＳに帳票からなる媒体を積層して載置することができる。
【００２１】
載置台４上に媒体が載置され、表示画面Ｄの所定位置がタッチされると（又は帳票処理機の本体ｂの正面下部の媒体供給装置ａの右隣に設けられているメカニカルスイッチが押下されると）、モータ１１が反時計方向に回転し、レバー８ａ，８ｂは、図４に二点鎖線で示される位置まで、つまり図２に示される位置まで上方に回動させられる。レバー８ａ，８ｂの回動により、載置台４はコイルばね７ａ，７ｂにより上方へ移動し、載置台４上の媒体が繰出ローラ１の下部に当接され、載置台４の上昇は停止させられる。このとき、載置台４上の媒体は、コイルばね７ａ，７ｂにより繰出ローラ１に所定の押圧された状態に保たれている。したがって、このときに繰出ローラ１が反時計方向に回転させられると、媒体が１枚ずつ挿入口３に送出（繰出）される。この媒体の繰出しは載置台４上に媒体が存在しなくなるまで継続させられる。
【００２２】
図５は、本発明の他の実施の形態に係る媒体供給装置ａ′を示す概略構成図、図６は図５のＢ−Ｂ線矢視図及び図７は、制御動作を示す説明図であり、図５は上記図２に対応し、図６は上記図３に対応し、図７は上記図４に対応している。
【００２３】
この媒体供給装置ａ′は、載置台４の上下をパンタグラフ式のリンク機構（以下、リンク機構という。）２０ａ，２０ｂを介して行うことを特徴としている。すなわち、このリンク機構２０ａ，２０ｂは、載置台４の両側にそれぞれ設けられている（図６参照）。これらリンク機構２０ａ，２０ｂは同一構成なので、リンク機構２０ａを例に説明すると、リンク機構２０ａは、中央部分でピン２１で回動自在にＸ状に連結された一対の連結棒２２ａ，２２ｂを有し、これら一対の連結棒２２ａ，２２ｂのうちの一方の連結棒２２ａの一端側は、フレームＦ2 にピン２３を介して回動自在に連結されているとともに、その他端側は、その他端側に設けられているピン２４が載置台４の他辺側に水平方向に開けられている長穴（スリット）２５に移動自在に設けられている。また、他方の連結棒２２ｂの一端側は、載置台４の一辺側にピン２６を介して回動自在に連結されているとともに、その他端側は、その他端側に設けられているピン２７がフレームＦ2 の他辺側（図５において左側）に水平方向に開けられている長穴（スリット）２８に移動自在に設けられている。
【００２４】
上述のように、載置台４にリンク機構２０ａ，２０ｂを用いたときは、載置台４の上面がより水平状態を保った上下動できる特長がある。
【図面の簡単な説明】
【００２５】
【図１】本発明に係る媒体供給装置を組込んだ帳票処理機の本体の斜視図である。
【図２】本発明の一実施の形態に係る媒体供給装置の概略構成図である。
【図３】図２のＡ−Ａ線矢視図である。
【図４】制御動作を示す説明図である。
【図５】本発明の他の形態に係る媒体供給装置の概略構成図である。
【図６】図５のＢ−Ｂ線矢視図である。
【図７】制御動作を示す説明図である。
【符号の説明】
【００２６】
ａ，ａ′      媒体供給装置
ｂ      帳票処理機の本体
１      繰出ローラ
２      回転軸
３      挿入口
４      載置台
５ａ，５ｂ      ガイド片
６ａ，６ｂ      スリット
７ａ，７ｂ      コイルばね（付勢手段）
８ａ，８ｂ      レバー
１０      駆動機構
１１      モータ
１２      減速歯車機構
１３      センサ
２０ａ，２０ｂ      パンタグラフ式リンク機構（リンク機構）
【図１】
2006150712.tif 000003
【図２】
2006150712.tif 000004
【図３】
2006150712.tif 000005
【図４】
2006150712.tif 000006
【図５】
2006150712.tif 000007
【図６】
2006150712.tif 000008
【図７】
2006150712.tif 000009